(57)【特許請求の範囲】
【請求項１】
複数種類の携帯端末を部分的に保持可能な保持部を備えた充電装置本体部と、
前記充電装置本体部に対して相対的に変位可能に構成され、第１支持部と第２支持部とを備えた変位部材と、
を有し、
前記変位部材は、
所定の第１変位のときに、前記第１支持部が前記保持部と向かい合う所定の第１位置に配置され、前記第１支持部と前記保持部との間に所定の第１種類の携帯端末が配置された場合に、前記第１位置に配置された前記第１支持部によって前記第１種類の携帯端末の一部を支持する構成であり、
所定の第２変位のときには、前記第２支持部が前記第１位置とは異なる所定の第２位置に配置され、前記第２支持部と前記保持部との間に前記第１種類の携帯端末とは外形の異なる所定の第２種類の携帯端末が配置された場合に、前記第２位置に配置された前記第２支持部によって前記第２種類の携帯端末の一部を支持する構成であり、
前記第１支持部及び前記第２支持部の各支持部が前記保持部と共に携帯端末を挟み込む向きが、前記第１支持部及び前記第２支持部が変位する向きと交差する向きとなっており、
前記第１種類の携帯端末における長手方向の長さと、前記第２種類の携帯端末における長手方向の長さとが異なっており、
前記保持部は、前記第１種類の携帯端末及び前記第２種類の携帯端末の各長手方向端部側を保持可能な端部側保持部を備えており、
前記変位部材が前記第１変位のときの前記第１支持部と前記端部側保持部との間隔と、前記変位部材が前記第２変位のときの前記第２支持部と前記端部側保持部との間隔とが異なっており、
前記変位部材が前記第１変位のときには、前記端部側保持部によって前記第１種類の携帯端末の長手方向一方側を保持し、前記第１支持部によって前記第１種類の携帯端末の長手方向他方側を保持する構成であり、
前記変位部材が前記第２変位のときには、前記端部側保持部によって前記第２種類の携帯端末の長手方向一方側を保持し、前記第２支持部によって前記第２種類の携帯端末の長手方向他方側を保持する構成であり、
前記変位部材は、所定の中心軸を中心として回転可能に構成され、所定の第１回転位置のときに前記第１変位となり、所定の第２回転位置のときに前記第２変位となる構成であり、
前記中心軸の方向と平行な所定方向において前記端部側保持部と前記変位部材とが向かい合う構成となっており、
前記中心軸の方向を高さ方向としたとき、前記第１支持部と前記第２支持部とが高さの異なる構造となっていることを特徴とする携帯端末の充電装置。
【請求項２】
前記変位部材は、回転本体部と、前記回転本体部から延びる延出部と、を備え、
前記充電装置本体部は、所定の係止部を備えており、
前記変位部材が前記第２回転位置のときに前記延出部と前記係止部とが接触して引っ掛かることで前記変位部材の所定回転方向の回転が規制されることを特徴とする請求項１に記載の携帯端末の充電装置。
【請求項３】
前記変位部材が前記第２変位のときに、前記第２種類の携帯端末と前記係止部とに挟まれて前記延出部の一部が配置されることで、前記変位部材の前記所定回転方向の回転及び前記所定回転方向とは逆方向の回転が規制されることを特徴とする請求項２に記載の携帯端末の充電装置。
【請求項４】
前記変位部材が前記第２変位のときには、前記第２種類の携帯端末における前記所定方向の端部と前記第２支持部とが前記所定方向に向かい合って互いに接触し、且つ前記変位部材において前記第２支持部とは異なる位置に設けられた第３支持部が、前記第２種類の携帯端末における前記第２支持部による接触部位とは異なる部位に対し、前記所定方向と異なる向きに接触可能に対向することを特徴とする請求項１から請求項３のいずれか一項に記載の携帯端末の充電装置。
【請求項５】
前記変位部材は、
前記第１変位及び前記第２変位のときに、前記充電装置本体部内に設けられた所定の収容部の外側に延びた配置となり、
前記第１変位及び前記第２変位とは異なる所定の第３変位のときに前記収容部に収まる配置となることを特徴とする請求項１から請求項４のいずれか一項に記載の携帯端末の充電装置。
【請求項６】
所定の第１種類の携帯端末と、
前記第１種類の携帯端末とは外形の異なる所定の第２種類の携帯端末と、
複数種類の携帯端末を部分的に保持可能な保持部を備え、少なくとも前記第１種類の携帯端末と前記第２種類の携帯端末とをそれぞれ別々の時期に前記保持部によって保持しつつ充電可能な充電装置と、
を備えた携帯端末システムであって、
前記充電装置は、
前記第１種類の携帯端末が前記充電装置に配置される場合に当該第１種類の携帯端末を部分的に保持し、前記第２種類の携帯端末が前記充電装置に配置される場合に当該第２種類の携帯端末を部分的に保持する充電装置本体部と、
前記充電装置本体部に対して相対的に変位可能に構成され、第１支持部と第２支持部とを備えた変位部材と、
を有し、
前記変位部材は、
所定の第１変位のときに、前記第１支持部が前記保持部と向かい合う所定の第１位置に配置され、前記第１支持部と前記保持部との間に前記第１種類の携帯端末が配置された場合に、前記第１位置に配置された前記第１支持部によって前記第１種類の携帯端末の一部を支持する構成であり、
所定の第２変位のときには、前記第２支持部が前記第１位置とは異なる所定の第２位置に配置され、前記第２支持部と前記保持部との間に前記第２種類の携帯端末が配置された場合に、前記第２位置に配置された前記第２支持部によって前記第２種類の携帯端末の一部を支持する構成であり、
前記第１支持部及び前記第２支持部の各支持部が前記保持部と共に携帯端末を挟み込む向きが、前記第１支持部及び前記第２支持部が変位する向きと交差する向きとなっており、
前記第１種類の携帯端末における長手方向の長さと、前記第２種類の携帯端末における長手方向の長さとが異なっており、
前記保持部は、前記第１種類の携帯端末及び前記第２種類の携帯端末の各長手方向端部側を保持可能な端部側保持部を備えており、
前記変位部材が前記第１変位のときの前記第１支持部と前記端部側保持部との間隔と、前記変位部材が前記第２変位のときの前記第２支持部と前記端部側保持部との間隔とが異なっており、
前記変位部材が前記第１変位のときには、前記端部側保持部によって前記第１種類の携帯端末の長手方向一方側を保持し、前記第１支持部によって前記第１種類の携帯端末の長手方向他方側を保持する構成であり、
前記変位部材が前記第２変位のときには、前記端部側保持部によって前記第２種類の携帯端末の長手方向一方側を保持し、前記第２支持部によって前記第２種類の携帯端末の長手方向他方側を保持する構成であり、
前記変位部材は、所定の中心軸を中心として回転可能に構成され、所定の第１回転位置のときに前記第１変位となり、所定の第２回転位置のときに前記第２変位となる構成であり、
前記中心軸の方向と平行な所定方向において前記端部側保持部と前記変位部材とが向かい合う構成となっており、
前記中心軸の方向を高さ方向としたとき、前記第１支持部と前記第２支持部とが高さの異なる構造となっていることを特徴とする携帯端末システム。
【発明の詳細な説明】
【技術分野】
【０００１】
本発明は、携帯端末の充電装置及び携帯端末システムに関するものである。
【背景技術】
【０００２】
携帯型コードリーダや携帯型タグリーダなどの携帯端末は、ユーザが様々な場所に携帯して使用することを想定しているため、充電可能な電池を筐体内に収容し、この電池から供給される電力を用いて装置内の各種部品を駆動する構成となっている。このような携帯端末では、ある程度の頻度で充電を行うことが必須となっており、例えば、据置型の充電装置などに載置して充電するような構成が広く採用されている。
【先行技術文献】
【特許文献】
【０００３】
【特許文献１】特開２０１１−７２１２３公報
【発明の概要】
【発明が解決しようとする課題】
【０００４】
ところで、携帯端末を充電する状況は様々であり、衝撃や振動を受けやすい状況も想定される。或いは、何らかの部品（例えば、ケーブル等）が引っ掛かりやすいような状況などもありうる。このように携帯端末に対して何らかの外的要因が加わりやすい状況下では、携帯端末を単に置くだけの充電装置を用いた場合、充電装置に載置される携帯端末が振動等によって簡単に外れやすく、意図しない充電停止や機器の落下などの不具合が生じることが懸念される。従って、携帯端末を充電装置によって充電するシステムでは、振動等が生じた場合でも携帯端末が充電装置から離脱しにくい構成が求められている。
【０００５】
また、携帯端末を充電装置によって充電するシステムでは、１つの充電装置によって複数種類の携帯端末を充電することが求められる場合もある。例えば、長さの異なる２種類以上の携帯端末を１つの充電装置によって充電し得るシステム構成とすれば、装置の共用化が図られるため、コスト的にも、装置を管理する管理負担の面でも、ユーザにとって大きなメリットとなる。但し、このシステムでは、対象となるいずれの種類の携帯端末を充電装置に載置する場合でも、振動や衝撃などによって携帯端末が離脱しにくいことが望ましく、単一種類の携帯端末だけを想定するよりは、問題がより複雑になる。
【０００６】
これらの問題に関連する技術としては、例えば、特許文献１のような技術が提案されている。この技術では、固定構造の受け台と変位可能な構造のロックレバーとによって携帯端末を上下に挟み込むことで、携帯端末を外れにくくしている。また、特許文献１の図１０では、ロックレバーの位置を携帯端末の高さ方向に変化可能とした構成も開示されており、この構成によれば、高さの異なる複数種類の携帯端末を充電対象とすることも可能になる。
【０００７】
しかしながら、特許文献１の構成は、ロックレバーが回転可能に構成され、その支持部（携帯端末に接触する先端５５ａ）が回転によって上下に移動する構成であるため、携帯端末による上への押し上げ力によってロックレバーが移動してロックが解除されてしまう虞がある。例えば、携帯端末に強い振動や衝撃が加わり、携帯端末がばねの付勢よりも強い力でロックレバーを上方に押し上げるように移動したときに、ロックレバーが容易に回転変位してロックが解除されてしまい、携帯端末が外れてしまうことになる。そして、このような問題は、高さの異なるいずれの携帯端末を保持する場合でも生じることになる。このような構造では、例えば、車載用途、工場等の現場用途などの強い振動が生じやすい用途において、特に不利益が大きく、ユーザの利便性を大きく低下させてしまうことになる。
【０００８】
本発明は、上述した課題を解決するためになされたものであり、複数種類の携帯端末を保持することが可能であり、いずれの種類の携帯端末を保持する場合でも、振動や衝撃などによって携帯端末が充電装置から離脱しにくい構成を提供することを目的とする。
【課題を解決するための手段】
【０００９】
第１の発明は、
複数種類の携帯端末を部分的に保持可能な保持部を備えた充電装置本体部と、
前記充電装置本体部に対して相対的に変位可能に構成され、第１支持部と第２支持部とを備えた変位部材と、
を有し、
前記変位部材は、
所定の第１変位のときに、前記第１支持部が前記保持部と向かい合う所定の第１位置に配置され、前記第１支持部と前記保持部との間に所定の第１種類の携帯端末が配置された場合に、前記第１位置に配置された前記第１支持部によって前記第１種類の携帯端末の一部を支持する構成であり、
所定の第２変位のときには、前記第２支持部が前記第１位置とは異なる所定の第２位置に配置され、前記第２支持部と前記保持部との間に前記第１種類の携帯端末とは外形の異なる所定の第２種類の携帯端末が配置された場合に、前記第２位置に配置された前記第２支持部によって前記第２種類の携帯端末の一部を支持する構成であり、
前記第１支持部及び前記第２支持部の各支持部が前記保持部と共に携帯端末を挟み込む向きが、前記第１支持部及び前記第２支持部が変位する向きと交差する向きとなっており、
前記第１種類の携帯端末における長手方向の長さと、前記第２種類の携帯端末における長手方向の長さとが異なっており、
前記保持部は、前記第１種類の携帯端末及び前記第２種類の携帯端末の各長手方向端部側を保持可能な端部側保持部を備えており、
前記変位部材が前記第１変位のときの前記第１支持部と前記端部側保持部との間隔と、前記変位部材が前記第２変位のときの前記第２支持部と前記端部側保持部との間隔とが異なっており、
前記変位部材が前記第１変位のときには、前記端部側保持部によって前記第１種類の携帯端末の長手方向一方側を保持し、前記第１支持部によって前記第１種類の携帯端末の長手方向他方側を保持する構成であり、
前記変位部材が前記第２変位のときには、前記端部側保持部によって前記第２種類の携帯端末の長手方向一方側を保持し、前記第２支持部によって前記第２種類の携帯端末の長手方向他方側を保持する構成であり、
前記変位部材は、所定の中心軸を中心として回転可能に構成され、所定の第１回転位置のときに前記第１変位となり、所定の第２回転位置のときに前記第２変位となる構成であり、
前記中心軸の方向と平行な所定方向において前記端部側保持部と前記変位部材とが向かい合う構成となっており、
前記中心軸の方向を高さ方向としたとき、前記第１支持部と前記第２支持部とが高さの異なる構造となっていることを特徴とする。
【００１０】
第２の発明は、
所定の第１種類の携帯端末と、
前記第１種類の携帯端末とは外形の異なる所定の第２種類の携帯端末と、
複数種類の携帯端末を部分的に保持可能な保持部を備え、少なくとも前記第１種類の携帯端末と前記第２種類の携帯端末とをそれぞれ別々の時期に前記保持部によって保持しつつ充電可能な充電装置と、
を備えた携帯端末システムであって、
前記充電装置は、
前記第１種類の携帯端末が前記充電装置に配置される場合に当該第１種類の携帯端末を部分的に保持し、前記第２種類の携帯端末が前記充電装置に配置される場合に当該第２種類の携帯端末を部分的に保持する充電装置本体部と、
前記充電装置本体部に対して相対的に変位可能に構成され、第１支持部と第２支持部とを備えた変位部材と、
を有し、
前記変位部材は、
所定の第１変位のときに、前記第１支持部が前記保持部と向かい合う所定の第１位置に配置され、前記第１支持部と前記保持部との間に前記第１種類の携帯端末が配置された場合に、前記第１位置に配置された前記第１支持部によって前記第１種類の携帯端末の一部を支持する構成であり、
所定の第２変位のときには、前記第２支持部が前記第１位置とは異なる所定の第２位置に配置され、前記第２支持部と前記保持部との間に前記第２種類の携帯端末が配置された場合に、前記第２位置に配置された前記第２支持部によって前記第２種類の携帯端末の一部を支持する構成であり、
前記第１支持部及び前記第２支持部の各支持部が前記保持部と共に携帯端末を挟み込む向きが、前記第１支持部及び前記第２支持部が変位する向きと交差する向きとなっており、
前記第１種類の携帯端末における長手方向の長さと、前記第２種類の携帯端末における長手方向の長さとが異なっており、
前記保持部は、前記第１種類の携帯端末及び前記第２種類の携帯端末の各長手方向端部側を保持可能な端部側保持部を備えており、
前記変位部材が前記第１変位のときの前記第１支持部と前記端部側保持部との間隔と、前記変位部材が前記第２変位のときの前記第２支持部と前記端部側保持部との間隔とが異なっており、
前記変位部材が前記第１変位のときには、前記端部側保持部によって前記第１種類の携帯端末の長手方向一方側を保持し、前記第１支持部によって前記第１種類の携帯端末の長手方向他方側を保持する構成であり、
前記変位部材が前記第２変位のときには、前記端部側保持部によって前記第２種類の携帯端末の長手方向一方側を保持し、前記第２支持部によって前記第２種類の携帯端末の長手方向他方側を保持する構成であり、
前記変位部材は、所定の中心軸を中心として回転可能に構成され、所定の第１回転位置のときに前記第１変位となり、所定の第２回転位置のときに前記第２変位となる構成であり、
前記中心軸の方向と平行な所定方向において前記端部側保持部と前記変位部材とが向かい合う構成となっており、
前記中心軸の方向を高さ方向としたとき、前記第１支持部と前記第２支持部とが高さの異なる構造となっていることを特徴とする。
【発明の効果】
【００１１】
請求項１の発明では、変位部材が所定の第１変位のときに、第１支持部が保持部と向かい合う所定の第１位置に配置され、第１支持部と保持部との間に所定の第１種類の携帯端末が配置された場合に、第１位置に配置された第１支持部によって第１種類の携帯端末の一部を支持する構成となっている。また、変位部材が所定の第２変位のときには、第２支持部が第１位置とは異なる所定の第２位置に配置され、第２支持部と保持部との間に第１種類の携帯端末とは外形の異なる所定の第２種類の携帯端末が配置された場合に、第２位置に配置された第２支持部によって第２種類の携帯端末の一部を支持する構成となっている。そして、第１支持部及び第２支持部の各支持部が保持部と共に携帯端末を挟み込む向きが、第１支持部及び第２支持部が変位する向きと交差する向きとなっている。
この構成によれば、第１種類の携帯端末の充電を行う場合、変位部材を第１変位にすることで、この第１種類の携帯端末を第１支持部と保持部とによって挟み込むように強固に保持することができる。また、第２種類の携帯端末の充電を行う場合、変位部材を第２変位にすることで、この第２種類の携帯端末を第２支持部と保持部とによって挟み込むように強固に保持することができる。このように、外形の異なる少なくとも２種類の携帯端末を安定的に保持することができ、いずれの種類の携帯端末を保持する場合でも振動等が生じた場合に離脱しにくくなる。しかも、第１支持部及び第２支持部の各支持部が保持部と共に携帯端末を挟み込む向きは、これら第１支持部及び第２支持部が変位する向きと交差する向きとなっているため、いずれの支持部によって携帯端末を支持している場合でも、振動等に起因して携帯端末から支持部に対して強い押圧力（挟み込みに反するような力）が加わったときに支持部の移動可能方向に大きな移動力が生じにくく、変位部材が変位しにくいため、挟み込みによる保持が解除されにくくなる。よって、これらのいずれの種類の携帯端末を保持する場合でも、強い振動や衝撃などによって携帯端末が充電装置から離脱しにくくなり、離脱に起因する不具合が生じることをより抑えやすくなる。
【００１２】
さらに、第１種類の携帯端末における長手方向の長さと、第２種類の携帯端末における長手方向の長さとが異なっており、保持部は、第１種類の携帯端末及び第２種類の携帯端末の各長手方向端部側を保持可能な端部側保持部を備えている。そして、変位部材が第１変位のときの第１支持部と端部側保持部との間隔と、変位部材が第２変位のときの第２支持部と端部側保持部との間隔とが異なっている。そして、変位部材が第１変位のときには、端部側保持部によって第１種類の携帯端末の長手方向一方側を保持し、第１支持部によって第１種類の携帯端末の長手方向他方側を保持する構成となっており、変位部材が第２変位のときには、端部側保持部によって第２種類の携帯端末の長手方向一方側を保持し、第２支持部によって第２種類の携帯端末の長手方向他方側を保持する構成となっている。
この構成によれば、長手方向のサイズが異なる２種類の携帯端末をいずれも充電対象とすることができ、いずれを充電する場合にも、携帯端末を長手方向に挟み込みながら強固に保持することができる。
【００１３】
特に、変位部材は、所定の中心軸を中心として回転可能に構成され、所定の第１回転位置のときに第１変位となり、所定の第２回転位置のときに第２変位となる構成であり、中心軸の方向と平行な所定方向において端部側保持部と変位部材とが向かい合う構成となっている。そして、中心軸の方向を高さ方向としたとき、第１支持部と第２支持部とが高さの異なる構造となっている。
この構成によれば、高さの異なる２つの支持部を挟み込み方向と平行な中心軸を中心として回転させるという簡易な構成で、長さの異なる２種類の携帯端末を安定的に保持することが可能となる。しかも、挟み込み方向と平行な中心軸を中心として変位部材が回転する構成、即ち、変位部材が挟み込み方向と直交する平面方向に沿って回転する構成であるため、振動等によって携帯端末の長手方向に押し戻す力（挟み込みに反するような逆方向の力）が生じても、その力は、変位部材を回転させるように作用しにくくなる。従って、振動等によって強い力が生じたとしても、支持部による支持がより解除されにくく、挟み込みによる保持がより一層解除されにくくなる。
【００１４】
請求項２の発明では、変位部材が、回転本体部と、回転本体部から延びる延出部と、を備えており、充電装置本体部が、所定の係止部を備えている。そして、変位部材が第２回転位置のときに延出部と係止部とが接触して引っ掛かることで変位部材の所定回転方向の回転が規制される構成となっている。
この構成によれば、変位部材が第２変位に設定されて第２種類の携帯端末を保持している状態（即ち、変位部材の第２支持部と端部側保持部とによって挟み込んで保持している状態）において、何らかの理由によって変位部材が所定回転方向へ回転してしまうことを、延出部と係止部との引っ掛かりによって防ぎ易くなる。よって、偶発的な変位部材の回転に起因する意図しない挟み込みの解除をより低減しやすくなる。
【００１５】
請求項３の発明では、変位部材が第２変位のときに、第２種類の携帯端末と係止部とに挟まれて延出部の一部が配置されることで、変位部材の所定回転方向の回転及び所定回転方向とは逆方向の回転が規制されるようになっている。
この構成によれば、変位部材が第２変位（第２回転位置）にあるときに、第２変位から外れようとする両方向の回転が規制されるため、いずれの回転方向にも偶発的な回転が生じにくくなる。従って、変位部材を第２変位（第２回転位置）に設定すべき場合に、より安定的に第２変位を維持することができ、ひいては、第２種類の携帯端末がより一層離脱しにくい充電装置を実現することができる。
【００１６】
請求項４の発明では、変位部材が第２変位にあるときには、第２種類の携帯端末における所定方向の端部と第２支持部とが所定方向に向かい合って互いに接触し、且つ変位部材において第２支持部とは異なる位置に設けられた第３支持部が、第２種類の携帯端末における第２支持部による接触部位とは異なる部位に対し、所定方向と異なる向きに接触可能に対向するようになっている。
この構成では、変位部材が第２変位のときに第２種類の携帯端末を保持する際に、第２支持部と保持部とによって所定方向に挟み込むだけでなく、第３支持部によってその挟み込み方向とは異なる向きに押圧して支持すること可能となる。従って、第２種類の携帯端末を保持している際に、当該携帯端末の端部側での大きな横変位（第２種類の携帯端末の端部付近と第３支持部とが向かい合う方向における変位）を抑えやすくなり、第２種類の携帯端末をより一層強固に保持することが可能となる。
【００１７】
請求項５の発明では、変位部材は、第１変位及び第２変位のときに、充電装置本体部内に設けられた所定の収容部の外側に延びた配置となり、第１変位及び第２変位とは異なる所定の第３変位のときに収容部に収まる配置となる。
この構成によれば、必要に応じて変位部材を収容部に収めておくことができ、充電装置全体を、よりコンパクトにしておくことができる。このような構成は、例えば、変位部材を第１変位や第２変位にしておくことが望ましくない場面において、特に有利になる。
【００１８】
請求項６の構成によれば、請求項１と同様の効果を奏するシステムを実現できる。
【図面の簡単な説明】
【００１９】
【図１】図１は、第１実施形態に係る携帯端末システムを例示する側面図であり、充電装置に第１種類の携帯端末が保持された構造を示す図である。
【図２】図２は、図１の構造の平面図である。
【図３】図３は、図１の構造を図１とは反対側から見た側面図である。
【図４】図４は、図１の構造の斜視図である。
【図５】図５は、図１の構造を図４とは異なる方向から見た斜視図である。
【図６】図６は、第１実施形態に係る携帯端末システムを例示する側面図であり、充電装置に第２種類の携帯端末が保持された構造を示す図である。
【図７】図７は、図６の構造の平面図である。
【図８】図８は、図６の構造を図６とは反対側から見た側面図である。
【図９】図９は、図６の構造の斜視図である。
【図１０】図１０は、図６の構造を図９とは異なる方向から見た斜視図である。
【図１１】図１１は、第１実施形態に係る携帯端末システムを構成する充電装置の内部構造等を概略的に示す説明図である。
【図１２】図１２は、第１実施形態に係る携帯端末システムを構成する充電装置の変位部材を例示する正面図である。
【図１３】図１３は、図１２の変位部材の背面図である。
【図１４】図１４は、図１２の変位部材の側面図である。
【図１５】図１５（Ａ）は、第１実施形態に係る携帯端末システムを構成する携帯端末の電気的構成を例示するブロック図であり、図１５（Ｂ）は、その携帯端末の情報コード読取部の構成等を例示するブロック図である。
【発明を実施するための形態】
【００２０】
[第１実施形態]
以下、本発明の充電装置を具現化した第１実施形態について、図面を参照して説明する。
【００２１】
（携帯端末システムの概要）
図１等で示す携帯端末システム１００は、複数種類の携帯端末１と、これらを充電する充電装置２０とによって構成されており、複数種類の携帯端末１のいずれについても、充電装置２０によって充電し得る構成となっている。つまり、複数種類の携帯端末１の充電を行うために、充電装置２０を兼用し得る構成となっている。具体的には、所定の第１種類の携帯端末１ａと、この第１種類の携帯端末１ａとは外形の異なる所定の第２種類の携帯端末１ｂとが、充電装置２０での充電対象となっている。充電装置２０は、複数種類の携帯端末１を部分的に保持可能な保持部４０を備えており、少なくとも第１種類の携帯端末１ａと第２種類の携帯端末１ｂとをそれぞれ別々の時期に保持部４０によって保持しつつ充電し得る構成となっている。なお、図１〜図５は、第１種類の携帯端末１ａを充電装置２０によって保持している時期の構成を示すものであり、図６〜図１０は、第２種類の携帯端末１ｂを充電装置２０によって保持している時期の構成を示すものである。
【００２２】
（携帯端末の構成）
図１に示す携帯端末１は、ユーザによって携帯されて様々な場所で用いられるものであり、バーコードや二次元コードなどの情報コードを読み取る情報コードリーダとしての機能を有している。本システム１００では、携帯端末１が、第１種類の携帯端末１ａ又は第２種類の携帯端末１ｂのいずれかであり、第１種類の携帯端末１ａも、第２種類の携帯端末１ｂも、図１５のような電気的構成となっている。従って、以下では、図１５を参照し、両携帯端末１ａ、１ｂに共通する構成について説明する。なお、いずれの携帯端末１も、全体的に長手状の形態をなすと共に、長手状のケースによって外郭が構成され、このケースの内部に図１５（Ａ）（Ｂ）に示す各種部品（各種電気部品等）が収容されている。
【００２３】
携帯端末１におけるケースの内部には、図１５（Ａ）に示すように、携帯端末１全体を制御する制御部２が設けられている。この制御部２は、マイコンを主体として構成されるものであり、ＣＰＵ、システムバス、入出力インタフェース等を有しており、メモリ１０と協働して情報処理手段として機能している。また、制御部２には、情報コード読取部４、表示装置５、スピーカ６、トリガスイッチ７、キー操作部８、外部インタフェース９などが接続されている。また、携帯端末１のケース内には、電源となる電池１１や電源部１２が設けられている。電池１１は、充電装置２０によって充電可能な二次電池（例えばリチウムイオン電池等）によって構成されている。また、電源部１２は、公知の電源回路などによって構成されており、これらによって制御部２や各種電気部品に電力が供給されるようになっている。
【００２４】
情報コード読取部４は、図１５（Ｂ）に示すように、ＣＣＤエリアセンサ等の受光センサ１５、結像レンズ１６、複数個のＬＥＤやレンズ等から構成される照明部１４などを備えた構成をなしており、制御部２と協働して読取対象Ｒに付された情報コードＣ（バーコードや二次元コードなど）を読み取るように機能する。なお、情報コード読取部４には、受光センサ１５からの信号を増幅する増幅回路や、その増幅された信号をデジタル信号に変換するＡＤ変換回路等が設けられているがこれらの回路については図示を省略している。
【００２５】
以上のように、第１種類の携帯端末１ａの内部にも、第２種類の携帯端末１ｂの内部にも、図１５（Ａ）に示すような制御部２、情報コード読取部４、表示装置５、スピーカ６、トリガスイッチ７、キー操作部８、外部インタフェース９、メモリ１０、電源部１２、電池１１などが設けられ、いずれの携帯端末も充電式の携帯型読取装置として構成されている。
【００２６】
また、本構成で使用対象となる第１種類の携帯端末１ａ及び第２種類の携帯端末１ｂは、外形が互いに異なっており、より具体的には、第１種類の携帯端末１ａにおける長手方向の長さＡ１と、第２種類の携帯端末１ｂにおける長手方向の長さＡ２とが異なっている。なお、ここでの長さＡ１は、第１種類の携帯端末１ａの長手方向における一端から他端までの最大長さであり、長さＡ２は、第２種類の携帯端末１ｂの長手方向における一端から他端までの最大長さである。
【００２７】
（充電装置の構成）
次に、充電装置２０の具体的構成について説明する。
なお、本明細書では、変位部材２３と後述する端部側保持部４１とが向かい合う所定の高さ方向を前後方向とし、前後方向についてはＸ軸方向として示している。また、前後方向と直交する所定の横方向を左右方向としており、左右方向についてはＺ軸方向として示している。更に、前後方向及び左右方向と直交する方向を上下方向としており、上下方向についてはＹ軸方向として示している。
【００２８】
具体的には、図１〜図３等で示すように、充電装置２０に装着される第１種類の携帯端末１ａの長手方向が前後方向となっており、変位部材２３側を前方、端部側保持部４１側を後方としている。また、充電装置２０に装着される第１種類の携帯端末１ａの厚さ方向を上下方向としており、第１種類の携帯端末１ａの表示装置５ａが配置される側を上方、それとは反対側を下方としている。第１種類の携帯端末１ａの厚さ方向は、例えば表示装置５ａの表示側の外面Ｆａと直交する方向となっている。また、充電装置２０に装着される第１種類の携帯端末１ａの幅方向を左右方向（横方向）としている。なお、図２の例では、表示装置５ａを平面視したときの当該表示装置５ａの長手方向が前後方向となっており、当該表示装置５ａの短手方向が幅方向となっている。また、図６〜図８等で示すように、充電装置２０に第２種類の携帯端末１ｂが装着された場合でも、充電装置２０に装着される第２種類の携帯端末１ｂの長手方向が前後方向となっており、その第２種類の携帯端末１ｂの厚さ方向が上下方向となっており、その第２種類の携帯端末１ｂの幅方向が左右方向となっている。
【００２９】
まず、充電装置２０の基本的機能について説明する。図１等に示す充電装置２０には、図示しない充電回路が設けられており、図示しない外部電源（車載電源や商用電源など）からの電力供給を受けて当該充電装置２０に保持された携帯端末１（第１種類の携帯端末１ａ又は第２種類の携帯端末１ｂ）を充電するように機能するものである。充電装置２０に設けられた充電回路（図示略）は、充電電流を供給可能な公知の充電回路（例えば定電流回路や定電圧回路など）によって構成されており、図１１で示す充電端子９０及びこれに接触する携帯端末１の外部端子（図示略）を介して、携帯端末１の電池１１に充電電流を供給するように構成されている。例えば、図１〜図５のように、第１種類の携帯端末１ａが正規の装着位置に装着された場合には、第１種類の携帯端末１ａに設けられた図示しない外部端子と、充電端子９０とが接触し、充電装置２０から充電端子９０及びその外部端子を介して第１種類の携帯端末１ａに対して充電のための電力が供給されるようになっている。また、図６〜図９のように、第２種類の携帯端末１ｂが正規の装着位置に装着された場合には、第２種類の携帯端末１ｂに設けられた図示しない外部端子と、充電端子９０とが接触し、充電装置２０から充電端子９０及びその外部端子を介して第２種類の携帯端末１ｂに対して充電のための電力が供給されるようになっている。
【００３０】
次に、充電装置２０の詳細構造について説明する。この充電装置２０は、大きく分けて、充電装置本体部２１と、変位部材２３とによって構成されている。充電装置本体部２１は、図１〜図５のように第１種類の携帯端末１ａが充電装置２０に配置される場合に、少なくとも保持部４０によって当該第１種類の携帯端末１ａを部分的に保持し、図６〜図１０のように第２種類の携帯端末１ｂが充電装置２０に配置される場合に、少なくとも保持部４０によって当該第２種類の携帯端末１ｂを部分的に保持する構成となっている。変位部材２３は、図１２〜図１４のような構成をなしており、充電装置本体部２１に取り付けられると共に、充電装置本体部２１に対して相対的に変位可能に構成されている。そして、この変位部材２３には、携帯端末１を支持するための第１支持部５１と第２支持部５２とが形成されており、これらの支持部の位置を切り替えることが可能な構成となっている。
【００３１】
充電装置本体部２１は、公知の樹脂材料からなる筐体３０によって外殻が構成されている。筐体３０は、図１〜図１０のように充電時に携帯端末１が載置される部分であり、底面部３５と、前壁部３１と、後壁部３２と、側壁部３３，３４とを備えている。そして、底面部３５上に携帯端末１（第１種類の携帯端末１ａ又は第２種類の携帯端末１ｂ）が載置されるようになっており、図２又は図７のように、載置状態の携帯端末１の一端側を後壁部３２及び側壁部３３，３４によって囲みつつ保持するようになっている。
【００３２】
本構成では、充電装置本体部２１において、底面部３５と、後壁部３２の内壁部と、側壁部３３，３４の内壁部とによって携帯端末１を保持する保持部４０が構成されている。一方、図２、図７等で示すように、第１種類の携帯端末１ａにおける長手方向一方側（保持部４０に保持される側）の外形形状と、第２種類の携帯端末１ｂにおける長手方向一方側（保持部４０に保持される側）の外形形状とが同一又は近似した外形形状となっており、第１種類の携帯端末１ａ及び第２種類の携帯端末１ｂのいずれが充電装置本体部２１に保持される場合でも、底面部３５上に載置されつつ、その長手方向一方側が後壁部３２及び側壁部３３，３４によって囲まれて保持されるようになっている。
【００３３】
保持部４０のうち、後壁部３２の内壁部は、前後方向一方側（前側）に向いて配置されると共に携帯端末１の長手方向一端部を支持する端部側保持部４１として機能している。そして、図２のように充電装置２０に第１種類の携帯端末１ａが配置されているときには、この第１種類の携帯端末１ａの長手方向端部１８ａと端部側保持部４１とが前後方向に接触しつつ対向し、端部１８ａが端部側保持部４１によって支持されるようになっている。また、図７のように第２種類の携帯端末１ｂが配置されているときには、この第２種類の携帯端末１ｂの長手方向端部１８ｂと端部側保持部４１とが前後方向に接触しつつ対向し、端部１８ｂが端部側保持部４１によって支持されるようになっている。
【００３４】
なお、図１１のように、後壁部３２の内側の部分（即ち、内壁部）には充電回路（図示略）からの充電電流の経路となる充電端子９０が設けられており、例えば、図１〜図５のように第１種類の携帯端末１ａが充電装置２０に設置されたときに、この携帯端末１ａから露出する外部端子と充電端子９０とが接触し、充電装置２０からこれら端子を介して携帯端末１ａに充電電流が供給されるようになっている。また、図６〜図１０のように第２種類の携帯端末１ｂが充電装置２０に設置されたときに、この携帯端末１ｂから露出する外部端子と充電端子９０とが接触し、充電装置２０からこれら端子を介して携帯端末１ｂに充電電流が供給されるようになっている。このように、第１種類の携帯端末１ａ及び第２種類の携帯端末１ｂのいずれの携帯端末１が保持される場合でも、携帯端末１の外部端子と充電端子９０とが前後に向かい合って接触する構成であるため、固定構造の端部側保持部４１に対して携帯端末１を後方側に押し付けるように保持することで端子同士の接触がより強固になる。
【００３５】
充電装置本体部２１の一方側（前後方向の中心部よりも後方側）に設けられた保持部４０では、携帯端末１の着脱時に携帯端末１を前後に導くガイド経路が構成されている。具体的には、図４、図５のように、側壁部３３の内壁部３３ｂが前後方向に延び、側壁部３４の内壁部３４ｂが前後方向に延び、底面部３５が前後方向に延びており、これら内壁部３３ｂ、３４ｂ、底面部３５によって、前後に延びるガイド溝が構成されている。ガイド溝は、内壁部３３ｂ、３４ｂの前端部が開放しており、上方側も開放している。このようにガイド溝が構成されているため、携帯端末１を内壁部３３ｂ、３４ｂの前方側から下壁部（携帯端末１の外壁部において表示装置５とは反対側の壁部）を底面部３５に接触させつつ上記ガイド溝内に挿入するときに、携帯端末１が所定姿勢（携帯端末１の長手方向が前後方向となるように維持された姿勢）で維持されつつ当該携帯端末１の端部側がガイド溝内に挿入されることになる。なお、このような挿入時（ガイド溝による挿入案内時）には、後述する変位部材２３を収容部４９内に収容させておくことが望ましい。また、携帯端末１を保持部４０から取り外すときには、携帯端末１の所定姿勢（携帯端末１の長手方向が前後方向となるように維持された姿勢）を保ちながら、上記ガイド溝に沿って携帯端末１を前方側に移動させ、内壁部３３ｂ、３４ｂの前端部よりも携帯端末１を前方側に移動させることで、携帯端末１を保持部４０から抜くことができる。
【００３６】
また、上記保持部４０において、内壁部３３ｂ、３４ｂの上端部付近には、それぞれの内壁部から内側に張り出す張出部３３ａ，３４ａが形成されている。張出部３３ａ，３４ａはいずれも、内壁部３３ｂ、３４ｂの内壁面（携帯端末の側部を支持する面）よりも内側（Ｚ方向において装置中心側）に突出するように張り出すと共に、前後方向に延びている。そして、図１〜図５のように第１種類の携帯端末１ａが充電装置２０に保持される場合、張出部３３ａは、この第１種類の携帯端末１ａの上面部の一端部（幅方向一端部）と上下に対向すると共に、その上面部の一端部を上方側から押えるように作用し、張出部３４ａは、この第１種類の携帯端末１ａの上面部の他端部（幅方向他端部）と上下に対向すると共に、その上面部の他端部を上方側から押えるように作用する。また、後壁部３２の内壁部（端部側保持部４１）の上端部付近にも、内側に張り出す張出部３２ａが形成されており、図１〜図５のような装着状態の第１種類の携帯端末１ａに対し、その上面部の端部（長手方向端部）と上下に対向すると共に、この端部を上方側から押えるように作用する。このように、ガイド溝は、第１種類の携帯端末１ａの装着時に、第１種類の携帯端末１ａの長手方向一端側を保持すると共に、その長手方向一端側の所定部分の左右方向への移動、上下方向への移動、後方側への移動をいずれも規制しており、この状態では、第１種類の携帯端末１ａは、所定姿勢を維持しながら前方側に移動するような動きしかできないようになっている。なお、このような動きは、後述する変位部材２３と干渉しないときのみ可能となる。
【００３７】
また、図６〜図１０のように第２種類の携帯端末１ｂが保持される場合も同様であり、張出部３３ａは、この第２種類の携帯端末１ｂの上面部の一端部（幅方向一端部）と上下に対向すると共に、その上面部の一端部を上方側から押えるように作用し、張出部３４ａは、この第２種類の携帯端末１ｂの上面部の他端部（幅方向他端部）と上下に対向すると共に、その上面部の他端部を上方側から押えるように作用する。そして、ガイド溝は、図６〜図１０のような第２種類の携帯端末１ｂの装着時に、第２種類の携帯端末１ｂの長手方向一端側を保持すると共に、その長手方向一端側の部分の左右方向への移動、上下方向への移動、後方側への移動をいずれも規制しており、この状態では、第２種類の携帯端末１ｂは、所定姿勢を維持しながら前方側に移動するような動きしかできないようになっている。なお、このような動きは、後述する変位部材２３と干渉しないときのみ可能となる。
【００３８】
変位部材２３は、例えば、公知の樹脂材料によって所定形状で構成されており、図１２〜図１４のように、回転本体部２３ａと、回転本体部２３ａから延びる延出部２３ｂと、を備えている。回転本体部２３ａは、中心軸Ｇの周囲に配置される部分であり、変位部材２３の回転の基端となる部分である。また、延出部２３ｂは、この回転本体部２３ａから延びる部分（具体的には、中心軸Ｇから遠ざかる側に延びる部分）であり、この延出部２３ｂにおいて、第１支持部５１と、第２支持部５２とが段差構造で形成されている。第１支持部５１は、第２支持部５２の向きとは異なる向きにリブ状（中心軸の方向におて後方側に立ち上がるリブ状）に形成されており、第２支持部５２から外れた位置に突出する突起部７３を備えている。即ち、図１２のように正面視したときに、突起部７３は、第２支持部５２を構成する環状部（中心に孔部６５が形成された環状の部分）の領域の外側に突出する構成となっている。図１、図１４のように、第１支持部５１は、中心軸Ｇの方向における一方側（後方側）の外面（リブ状に突出する部分の突出方向の端面）が第１種類の携帯端末１ａの支持面５１ａとなっている。また、第２支持部５２は、中心軸Ｇの方向における一方側（後方側）の外面（上記環状部の後方側の端面）が第２種類の携帯端末１ｂの支持面５２ａとなっている。そして、第１支持部５１における支持面５１ａ（第１種類の携帯端末１ａを支持する支持面）の位置と、第２支持部５２の支持面５２ａ（第２種類の携帯端末１ｂを支持する支持面）の位置とが中心軸Ｇの方向（即ち、前後方向）で異なっており、段差構造となっている。
【００３９】
このように構成される変位部材２３は、図３、図８、図１１のように、所定の中心軸Ｇを中心として回転可能に構成されている。なお、図１１は、正面側から充電装置を僅かに斜めに見た構成を簡略的に示す斜視一部断面図であり、変位部材２３が収容部４９内に完全に収まった状態を概略的に示すものである。
【００４０】
変位部材２３の中心軸Ｇの方向は、上述した前後方向（Ｘ軸方向）となっており、図１〜図１０のように変位部材２３の一部が収容部４９の外側に延び出た状態では、中心軸Ｇの方向と平行な所定方向において端部側保持部４１と変位部材２３とが向かい合う構成となっている。そして、このように構成される変位部材２３は、所定の第１回転位置のときには、図１〜図５のような第１変位（第１保持位置）となり、所定の第２回転位置のときには、図６〜図１０のような第２変位（第２保持位置）となる。また、第３回転位置のときには、図１１のような第３変位（収容位置）となる。
【００４１】
変位部材２３は、中心軸Ｇの方向を高さ方向としたとき（即ち、Ｘ軸方向を高さ方向としたとき）、図２のように第１支持部５１と第２支持部５２とが高さの異なる構造となっている。具体的には、支持面５１ａと支持面５２ａとが高さの異なる段差構造となっている。なお、図２では、端部側保持部４１の位置（具体的には、端部側保持部４１と携帯端末１とが接触する境界面（接触面）において最も後方となる位置）を基準としたときの第１支持部５１の高さ（より具体的には、上述の端部側保持部４１の位置から、図１〜図５のように第１支持部５１が第１種類の携帯端末１ａと接触するときの境界面（接触面）において最も前方となる位置までの前後方向の距離）を符号Ｌ１で示し、その基準での第２支持部５２の高さ（より具体的には、上述の端部側保持部４１の位置から、図６〜図１０のように第２支持部５２が第２種類の携帯端末１ｂと接触するときの境界面（接触面）において最も前方となる位置までの前後方向の距離）を符号Ｌ２で示している。このように、高さの異なる２つの支持部５１，５２を挟み込み方向（前後方向）と平行な中心軸Ｇを中心として回転させるという簡易な構成で、２種類の携帯端末を安定的に保持することを可能としている。
【００４２】
そして、この変位部材２３は、図１〜図５で示すような第１変位のときに、第１支持部５１が保持部４０と向かい合う所定の第１位置に配置される。この変位では、図１〜図５で示すように第１支持部５１と保持部４０との間に第１種類の携帯端末１ａが配置された場合に、第１位置に配置された第１支持部５１によって第１種類の携帯端末１ａの一部（長手方向端部１９ａ）を支持することになり、反対側の端部１８ａは、端部側保持部４１によって支持されることになる。つまり、第１支持部５１と端部側保持部４１とによって第１種類の携帯端末１ａが長手方向に挟み込まれることになる。また、上述したように、端部１８ａが端部側保持部４１と接触するように保持部４０によって保持された状態では、第１種類の携帯端末１ａは、自身の長手方向を前後方向とする姿勢を維持した状態で保持部４０に対して前方側のみしか移動できないようになっており、その前方側には、端部１９ａに接触するように第１支持部５１が配置されるため、変位部材２３の変位が変わらない限り、第１種類の携帯端末１ａは充電装置２０に対して、前後、左右、上下のいずれにも移動できなくなる。
【００４３】
また、図６〜図１０で示すような第２変位のときには、第２支持部５２が第１位置とは異なる所定の第２位置に配置される。この変位では、図６〜図１０で示すように第２支持部５２と保持部４０との間に第２種類の携帯端末１ｂが配置された場合に、第２位置に配置された第２支持部５２によって第２種類の携帯端末１ｂの一部（長手方向端部１９ｂ）を支持することになり、反対側の端部１８ｂは、端部側保持部４１によって支持されることになる。つまり、第２支持部５２と端部側保持部４１とによって第２種類の携帯端末１ｂが長手方向に挟み込まれることになる。また、上述したように、端部１８ｂが端部側保持部４１と接触するように保持部４０によって保持された状態では、第２種類の携帯端末１ｂは、自身の長手方向を前後方向とする姿勢を維持した状態で保持部４０に対して前方側のみしか移動できないようになっており、その前方側には、端部１９ｂに接触するように第２支持部５２が配置されるため、変位部材２３の変位が変わらない限り、第２種類の携帯端末１ｂは充電装置２０に対して、前後、左右、上下のいずれにも移動できなくなる。
【００４４】
このように、第１種類の携帯端末１ａの充電を行う場合、図１〜図５のように変位部材２３を第１変位にすることで、この第１種類の携帯端末１ａを第１支持部５１と保持部４０とによって挟み込むように強固に保持することができる。また、第２種類の携帯端末１ｂの充電を行う場合、図６〜図１０のように変位部材２３を第２変位にすることで、この第２種類の携帯端末１ｂを第２支持部５２と保持部４０とによって挟み込むように強固に保持することができるのである。
【００４５】
本構成では、充電対象となる第１種類の携帯端末１ａと第２種類の携帯端末１ｂとの外形が異なっているが、より具体的には、第１種類の携帯端末１ａにおける長手方向の長さＡ１と、第２種類の携帯端末１ｂにおける長手方向の長さＡ２とが異なっている。そして、保持部４０では、第１種類の携帯端末１ａの長手方向端部１８ａについても、第２種類の携帯端末１ｂの長手方向端部１８ｂについても、端部側保持部４１を接触させつつ支持する構成となっている。そして、変位部材２３が第１変位のときの第１支持部５１と端部側保持部４１との間隔Ｌ１（図２参照）と、変位部材２３が第２変位のときの第２支持部５２と端部側保持部４１との間隔Ｌ２（図７参照）とが異なっており、図２のように変位部材２３が第１変位のときには、端部側保持部４１によって第１種類の携帯端末１ａの長手方向一方側（即ち端部１８ａ）を保持し、第１支持部５１によって第１種類の携帯端末１ａの長手方向他方側（即ち端部１９ａ）を保持する構成となっている。この構成では、第１種類の携帯端末１ａにおける長手方向の長さＡ１と、上記間隔Ｌ１とがほぼ同程度、或いは、間隔Ｌ１が長さＡ１よりもやや狭い長さとなっているため、第１変位のときには、第１種類の携帯端末１ａが確実に挟み込まれて保持されることになる。
【００４６】
また、図７のように変位部材２３が第２変位のときには、端部側保持部４１によって第２種類の携帯端末１ｂの長手方向一方側（即ち端部１８ｂ）を保持し、第２支持部５２によって第２種類の携帯端末１ｂの長手方向他方側（即ち端部１９ｂ）を保持する構成となっている。この構成では、第２種類の携帯端末１ｂにおける長手方向の長さＡ２と、上記間隔Ｌ２とがほぼ同程度、或いは、間隔Ｌ２が長さＡ２よりもやや狭い長さとなっているため、第２変位のときには、第２種類の携帯端末１ｂが確実に挟み込まれて保持されることになる。
【００４７】
そして、第１支持部５１及び第２支持部５２の各支持部が保持部４０と共に携帯端末を挟み込む向き（即ち前後方向に相当するＸ軸方向）が、第１支持部５１及び第２支持部５２が変位する向き（即ち、ＹＺ平面と平行な平面方向）と交差する向き（具体的には、直交する向き）となっている。この構成では、いずれの支持部によって携帯端末１を支持している場合でも、振動等に起因して携帯端末１から支持部に対して強い押圧力（挟み込みに反するようなＸ軸正方向の力）が加わったときに、その押圧力においてＹ方向の成分及びＺ方向の成分が小さくなるため、その力が支持部を移動させるように作用しにくく、変位部材２３が変位しにくいため、挟み込みによる保持が解除されにくくなる。
【００４８】
また、図４、図９のように、充電装置本体部２１において、収容部４９の開口部４９ａ（図１１）付近には係止部３９が形成されている。そして、図９のように、変位部材２３が第２回転位置のときには、延出部２３ｂと係止部３９とが接触して引っ掛かることで変位部材２３の所定回転方向（具体的には、変位部材２３が収容部４９に向かう回転方向）の回転が規制される構成となっている。この構成によれば、変位部材２３を第２回転位置で維持すべき場合に、少なくとも所定回転方向へ回転してしまうことを延出部２３ｂと係止部３９との引っ掛かりによってより確実に防ぐことができる。なお、係止部３９は、延出部２３ｂと係止し得る構成であればよく、例えば、延出部２３ｂの回転経路上において、収容部４９における延出部２３ｂの収容領域と、収容部４９の外側領域との間に介在するように筐体３０の一部として配置されていればよい。この場合、図９のような状態から係止構造を解除して変位部材２３を収容部４９内に収容するために、例えば、変位部材２３を若干撓ませて係止を解除するような構成になっていてもよい。或いは、係止部３９を変位可能な構造（例えば、爪構造や突起構造などの弾性変形可能な構造等）とし、係止部３９が自然状態のときには、延出部２３ｂと係止部３９とが係止可能となり、係止部３９が所定の退避位置に変形したときに、延出部２３ｂと係止部３９とが係止不能となって、係止状態が解除されるような構成となっていてもよい。
【００４９】
また、図６、図８、図９のように、変位部材２３が第２変位のときには、第２種類の携帯端末１ｂと係止部３９とに挟まれて延出部２３ｂの一部（第１支持部７１の一部をなす突起部７３）が配置されることで、変位部材２３の所定回転方向の回転（収容部４９内に向かう側の回転方向）及び所定回転方向とは逆方向（第１変位に向かう側の回転方向）の回転が規制されるようになっている。つまり、変位部材２３が第２変位にあるときには、この第２変位から外れようとする両方向の回転が規制されるようになっている。
【００５０】
また、図６、図８のように、変位部材２３が第２変位のときには、第２種類の携帯端末１ｂにおける所定方向の端部１９ｂと第２支持部５２とが所定方向（前後方向）に向かい合って互いに接触し、且つ変位部材２３において第２支持部５２とは異なる位置に設けられた第３支持部５３が、第２種類の携帯端末１ｂにおける第２支持部５２による接触部位とは異なる部位１７ｂ（下面部における長手方向の端部１９ｂ寄りの部位）に対し、所定方向と異なる向きに接触可能に対向するようになっている。この構成では、変位部材２３が第２変位のときに第２種類の携帯端末１ｂを保持する際に、第２支持部５２と保持部４０とによって所定方向（前後方向）に挟み込むだけでなく、第３支持部５３によってその挟み込み方向とは異なる向き（上方向に相当するＹ軸正方向）に押圧して支持すること可能となる。
【００５１】
本構成では、変位部材２３は、図１〜図５等で示す第１変位のとき及び図６〜図１０で示す第２変位のときに、充電装置本体部内（充電装置本体部２１の内部）に設けられた所定の収容部４９の外側に延びた配置となる。一方、図１１のように、第１変位及び第２変位とは異なる所定の第３変位のときには収容部４９に収まる配置となる。この構成によれば、必要に応じて変位部材２３を収容部４９に収めておくことができる。このように、変位部材２３が収容部４９に収容されている配置では、図２のように配置された携帯端末１ａや、図７のように配置された携帯端末１ｂを前方側に抜き出すことが可能となる。
【００５２】
また、携帯端末１ａや携帯端末１ｂを装着する場合には、予め変位部材２３を収容部４９に収容しておき、この収容状態で携帯端末１ａ又は携帯端末１ｂを前側から前後方向に挿入（具体的には、携帯端末１の長手方向と充電装置２０の長手方向を合わせた状態で、前側から底面部３５に沿って挿入）し、携帯端末１の端部が端部側保持部４１に接触するまで挿入した後に、変位部材２３を第１変位又は第２変位に設定するような装着操作を行うとよい。
【００５３】
（本構成の効果の例）
本構成では、図１〜図５のように、変位部材２３が所定の第１変位のときに、第１支持部５１が保持部４０と向かい合う所定の第１位置に配置され、図１〜図５のように第１支持部５１と保持部４０との間に所定の第１種類の携帯端末１ａが配置された場合に、第１位置に配置された第１支持部５１によって第１種類の携帯端末１ａの一部を支持する構成となっている。また、図６〜図１０のように、変位部材２３が所定の第２変位のときには、第２支持部５２が第１位置とは異なる所定の第２位置に配置され、図６〜図１０のように第２支持部５２と保持部４０との間に第１種類の携帯端末１ａとは外形の異なる所定の第２種類の携帯端末１ｂが配置された場合に、第２位置に配置された第２支持部５２によって第２種類の携帯端末１ｂの一部を支持する構成となっている。そして、第１支持部５１及び第２支持部５２の各支持部が保持部４０と共に携帯端末を挟み込む向きが、第１支持部５１及び第２支持部５２が変位する向きと交差する向きとなっている。
【００５４】
この構成によれば、第１種類の携帯端末１ａの充電を行う場合、変位部材２３を第１変位にすることで、図１〜図５のように第１種類の携帯端末１ａを第１支持部５１と保持部４０とによって挟み込むように強固に保持することができる。また、第２種類の携帯端末１ｂの充電を行う場合、変位部材２３を第２変位にすることで、図６〜図１０のように第２種類の携帯端末１ｂを第２支持部５２と保持部４０とによって挟み込むように強固に保持することができる。このように、外形の異なる少なくとも２種類の携帯端末を安定的に保持することができ、いずれの種類の携帯端末を保持する場合でも振動等が生じた場合に離脱しにくくなる。しかも、第１支持部５１及び第２支持部５２の各支持部が保持部４０と共に携帯端末を挟み込む向きは、これら第１支持部５１及び第２支持部５２が変位する向きと交差する向きとなっているため、いずれの支持部によって携帯端末を支持している場合でも、振動等に起因して携帯端末から支持部に対して強い押圧力（挟み込みに反するような力）が加わったときに、その力の向きが支持部の移動方向と同方向になりにくく、変位部材２３が変位しにくいため、挟み込みによる保持が解除されにくくなる。よって、これらのいずれの種類の携帯端末を保持する場合でも、強い振動や衝撃などによって携帯端末が充電装置２０から離脱しにくくなり、離脱に起因する不具合が生じることをより抑えやすくなる。
【００５５】
特に、単一の変位部材２３の二位置にそれぞれ支持部を設けてロックレバーとして機能させているため、部品点数が抑えられ、コンパクト化、軽量化、コスト面で有利になる。
【００５６】
具体的には、第１種類の携帯端末１ａにおける長手方向の長さＡ１と、第２種類の携帯端末１ｂにおける長手方向の長さＡ２とが異なっており、保持部４０は、第１種類の携帯端末１ａ及び第２種類の携帯端末１ｂの各長手方向端部側を保持可能な端部側保持部４１を備えている。そして、変位部材２３が第１変位のときの第１支持部５１と端部側保持部４１との間隔Ｌ１と、変位部材２３が第２変位のときの第２支持部５２と端部側保持部４１との間隔Ｌ２とが異なっており、例えば、Ａ１＝Ｌ１、Ａ２＝Ｌ２となっている。そして、変位部材２３が第１変位のときには、図１〜図５のように端部側保持部４１によって第１種類の携帯端末１ａの長手方向一方側を保持し、第１支持部５１によって第１種類の携帯端末１ａの長手方向他方側を保持する構成となっており、図６〜図１０のように変位部材２３が第２変位のときには、端部側保持部４１によって第２種類の携帯端末１ｂの長手方向一方側を保持し、第２支持部５２によって第２種類の携帯端末１ｂの長手方向他方側を保持する構成となっている。この構成によれば、長手方向のサイズが異なる２種類の携帯端末１ａ，１ｂを充電対象とすることができ、いずれを充電する場合にも、携帯端末を長手方向に挟み込みながら強固に保持することができる。
【００５７】
より具体的には、変位部材２３は、所定の中心軸Ｇを中心として回転可能に構成され、所定の第１回転位置のときに第１変位となり、所定の第２回転位置のときに第２変位となる構成であり、中心軸Ｇの方向と平行な所定方向において端部側保持部４１と変位部材２３とが向かい合う構成となっている。つまり、端部側保持部４１と変位部材２３とによる挟み込み方向及び中心軸Ｇの方向のいずれもが、前後方向（Ｘ軸方向）となっている。そして、図２のように、中心軸Ｇの方向を高さ方向としたとき（即ち、Ｘ軸方向を高さ方向としたとき）、第１支持部５１と第２支持部５２とが高さの異なる構造となっている。この構成によれば、高さの異なる２つの支持部を挟み込み方向と平行な中心軸Ｇを中心として回転させるという簡易な構成で、２種類の携帯端末を安定的に保持することが可能となる。しかも、挟み込み方向と平行な中心軸Ｇを中心として変位部材２３が回転する構成、即ち、変位部材２３が挟み込み方向と直交する平面方向（即ち、ＹＺ平面と平行な平面方向）に沿って回転する構成であるため、振動等によって携帯端末１の長手方向（即ち、Ｘ軸方向）に押し戻す力（挟み込みに反するような逆方向の力）が生じても、その力は、Ｙ軸方向又はＺ軸方向の成分が小さいため、変位部材２３を回転させるように作用しにくくなる。従って、振動等によって強い力が生じたとしても、支持部による支持がより解除されにくく、挟み込みによる保持がより一層解除されにくくなる。
【００５８】
また、この構成では、単一の樹脂部材からなる変位部材２３を回転可能に支持するという簡易な構造でロック機構が構成されるため、スライド機構等の複雑な機構を設ける必要が無く、変位部材２３そのものについても、変位部材２３を保持する構造についても、構造の簡易化、コンパクト化を図り易くなる。
【００５９】
また、本構成では、変位部材２３が、回転本体部２３ａと、回転本体部２３ａから延びる延出部２３ｂとを備えており、充電装置本体部２１が、所定の係止部３９を備えている。そして、図９、図１０のように、変位部材２３が第２回転位置のときに延出部２３ｂと係止部３９とが接触して引っ掛かることで変位部材２３の所定回転方向（収容部４９の内側に向かう回転方向）の回転が規制される構成となっている。この構成によれば、変位部材２３を第２回転位置で維持すべき場合に、少なくとも所定回転方向へ回転してしまうことを延出部２３ｂと係止部３９との引っ掛かりによってより確実に防ぐことができる。よって、偶発的な変位部材２３の回転に起因する意図しない挟み込みの解除をより低減しやすくなる。
【００６０】
また、本構成では、図６〜図１０のように変位部材２３が第２変位のときに、図６、図８、図９のように第２種類の携帯端末１ｂと係止部３９とに挟まれて延出部２３ｂの一部（第１支持部５１の一部をなす突起部７３）が配置されることで、変位部材２３の所定回転方向の回転（収容部４９の内側に向かう方向の回転）及び所定回転方向とは逆方向の回転（第１回転位置に向かう方向の回転）が規制される構成となっている。この構成によれば、図６、図８、図９のように、変位部材２３が第２変位にあるときに第２変位から外れようとする両方向の回転が規制されるため、いずれの回転方向にも偶発的な回転が生じにくくなる。従って、変位部材２３を第２変位（第２回転位置）に設定すべき場合に、より安定的に第２変位を維持することができ、第２種類の携帯端末１ｂがより一層離脱しにくい充電装置２０を実現することができる。
【００６１】
また、本構成では、図６〜図１０のように変位部材２３が第２変位のときには、第２種類の携帯端末１ｂにおける所定方向（携帯端末１ｂの長手方向であり、図６等の例では前後方向）の端部１９ｂと第２支持部５２とがその所定方向に向かい合って互いに接触し、且つ図６、図８のように、変位部材２３において第２支持部５２とは異なる位置に設けられた第３支持部５３が、第２種類の携帯端末１ｂにおける第２支持部５２による接触部位（端部１９ｂとは異なる部位１７ｂ）に対し、その所定方向と異なる向きに接触可能に対向する。この構成では、変位部材２３が第２変位のときに第２種類の携帯端末１ｂを保持する際に、第２支持部５２と保持部４０とによって所定方向（図６等の例では前後方向）に挟み込むだけでなく、第３支持部５３によってその挟み込み方向とは異なる向きに押圧して支持すること可能となる。従って、第２種類の携帯端末１ｂを保持している際に、当該携帯端末の端部１９ｂ側での大きな横変位（第２種類の携帯端末１ｂの端部１９ｂ付近と第３支持部５３とが向かい合う上下方向における変位）を抑えることができ、第２種類の携帯端末１ｂをより一層強固に保持することが可能となる。
【００６２】
また、本構成では、変位部材２３は、図１〜図５等で示す第１変位のとき及び図６〜図１０で示す第２変位のときに、充電装置本体部内（充電装置本体部２１の内部）に設けられた所定の収容部４９の外側に延びた配置となり、図１１のように、第１変位及び第２変位とは異なる所定の第３変位のときに収容部４９に収まる配置となる。この構成によれば、必要に応じて変位部材２３を収容部４９に収めておくことができ、充電装置２０全体をよりコンパクトにしておくことができる。このような構成は、例えば、変位部材２３を第１変位や第２変位にしておくことが望ましくない場面（例えば、充電装置２０を持ち運びする時など）において、特に有利になる。
【００６３】
［他の実施形態]
本発明は上記記述及び図面によって説明した実施形態に限定されるものではなく、例えば次のような実施形態も本発明の技術的範囲に含まれる。
【００６４】
上記実施形態では、第１種類の携帯端末１ａや第２種類の携帯端末１ｂの例として携帯型情報コードリーダとして構成される携帯端末を例示したが、他種の携帯型情報処理装置であってもよい。例えば、携帯型無線タグリーダとして構成される携帯型読取装置であってもよく、情報コードリーダとしての機能と、無線タグリーダとしての機能とを有する携帯型読取装置であってもよい。
【００６５】
上記実施形態では、充電装置２０によって２種類の携帯端末を充電可能な構成を例示したが、この例に限られない。例えば、変位部材２３が第１変位のときに、第１種類の携帯端末１ａだけでなく、第１種類の携帯端末１ａと同程度の高さ（長さ）の他種類の携帯端末（第１種類の携帯端末１ａと若干外形の異なる携帯端末など）を充電装置２０によって充電し得る構成であってもよい。或いは、変位部材２３が第２変位のときに、第２種類の携帯端末１ｂだけでなく、第２種類の携帯端末１ｂと同程度の高さ（長さ）を有する他種類の携帯端末（第２種類の携帯端末１ｂと若干外形の異なる携帯端末など）を充電装置２０によって充電し得る構成であってもよい。
【００６６】
上記実施形態では、２つの支持部が段差状に構成され、高さ方向（中心軸Ｇと平行な方向）に２段に構成された例を示したが、３以上の支持部が段差状に構成され、高さ方向に３段以上に構成されていてもよい。例えば、変位部材が第１変位のときに第１支持部と保持部とが対向して第１種類の携帯端末を挟み込み、変位部材が第２変位のときに第２支持部と保持部とが対向して第２種類の携帯端末を挟み込み、変位部材が第３変位のときに第３支持部と保持部とが対向して第３種類の携帯端末を挟み込むような構成であってもよい。
【符号の説明】
【００６７】
１…携帯端末
１ａ…第１種類の携帯端末
１ｂ…第２種類の携帯端末
１９ａ…第１種類の携帯端末の長手方向端部
１９ｂ…第２種類の携帯端末の長手方向端部
２０…充電装置
２１…充電装置本体部
２３…変位部材
２３ａ…回転本体部
２３ｂ…延出部
３９…係止部
４０…保持部
４１…端部側保持部
４９…収容部
５１…第１支持部
５２…第２支持部
５３…第３支持部
１００…携帯端末システム
Ｇ…中心軸
【図１】
0006446991.tif 000002
【図２】
0006446991.tif 000003
【図３】
0006446991.tif 000004
【図４】
0006446991.tif 000005
【図５】
0006446991.tif 000006
【図６】
0006446991.tif 000007
【図７】
0006446991.tif 000008
【図８】
0006446991.tif 000009
【図９】
0006446991.tif 000010
【図１０】
0006446991.tif 000011
【図１１】
0006446991.tif 000012
【図１２】
0006446991.tif 000013
【図１３】
0006446991.tif 000014
【図１４】
0006446991.tif 000015
【図１５】
0006446991.tif 000016